(57)【要約】【課題】デジタル画像をテレビモニタとカメラの背面液晶に同時表示することが可能で、タッチパネル操作により、画像の拡大表示や表示画像送りまたは戻しなどのインタラクティブ操作が可能な画像表示装置等を提供する。【解決手段】画像表示装置１を、画像データを記憶する記憶部１５と、第１の表示部１４と、外部に設けられた第２の表示部１００に表示情報を出力する外部装置接続部１６と、第１の表示部１４の画面上でのタッチ操作を含むユーザーによる操作を検出する操作部１３と、記憶部１５から画像データを読み出して、当該画像データを第１の表示部１４及び第２の表示部１００に同時に表示するとともに、操作部１３により検出された操作に応じて表示を制御する制御部１７とから構成する。【選択図】図１
2010039806.tif 000002
【特許請求の範囲】
【請求項１】
画像データを記憶する記憶部と、
第１の表示部と、
外部に設けられた第２の表示部に表示情報を出力する外部装置接続部と、
前記第１の表示部の画面上でのタッチ操作を含むユーザーによる操作を検出する操作部と、
前記記憶部から前記画像データを読み出して、当該画像データを前記第１の表示部及び前記第２の表示部に同時に表示するとともに、前記操作部により検出された操作に応じて前記表示を制御する制御部と、を有する画像表示装置。
【請求項２】
前記制御部は、
前記操作部により前記タッチ操作が検出されたときに、前記第１の表示部に表示され前記タッチ操作により選択された前記画像データを拡大して、前記第１の表示部及び前記第２の表示部に同時に表示するように構成された請求項１に記載の画像表示装置。
【請求項３】
前記制御部は、
前記第１の表示部及び前記第２の表示部のいずれか一方の表示サイズで画面構成を行い、他方の表示サイズへリサイズするように構成し、前記第１の表示部及び前記第２の表示部にそれぞれ表示するように構成された請求項１または２に記載の画像表示装置。
【請求項４】
前記記憶部は、少なくとも１以上の前記画像データを１画面にレイアウトして表示するための画像ユニットを管理する画像ユニットリストを記憶し、
前記制御部は、前記記憶部から前記画像ユニットリストを読み出して、前記画像ユニット毎に、前記記憶部に記憶された前記画像データを読み出して前記第１の表示部及び前記第２の表示部に表示するように構成された請求項１〜３いずれか一項に記載の画像表示装置。
【請求項５】
前記制御部は、
前記操作部により送りまたは戻しの操作を検出したときに、現在表示されている前記画像ユニットの次の画像ユニット若しくは前の画像ユニットを前記第１の表示部及び前記第２の表示部に表示するように構成された請求項４に記載の画像表示装置。
【請求項６】
前記制御部は、
前記画像データを前記第１の表示部及び前記第２の表示部に拡大表示している状態で、前記操作部により送りまたは戻しの操作を検出したときに、前記画像ユニットリストに設定されている前記画像データの順序に従って、次の画像データ若しくは前の画像データを前記第１の表示部及び前記第２の表示部に表示するように構成された請求項４に記載の画像表示装置。
【請求項７】
光学系及び当該光学系で結像された像を検出する撮像素子を備え、当該撮像素子で検出された像を前記画像データとして前記記憶部に記憶させる撮像部をさらに有する請求項１〜６いずれか一項に記載の画像表示装置。
【発明の詳細な説明】
【技術分野】
【０００１】
本発明は、画像表示装置に関する。
【背景技術】
【０００２】
近年のデジタルカメラの普及により、個人がデジタル画像を鑑賞する要求、機会が高まっている。これを受け、紙媒体に画像を出力して楽しむ従来の画像鑑賞の仕方に加え、デジタル画像ならではの新しい画像鑑賞方法が広まりつつある。この例として、スライドショーと呼ばれる、ユーザーが事前に保存しておいた複数の写真をテレビモニタなどの出力モニタ上に順次表示するシステムが既に商品化もなされ、一般にも認知されている（例えば、特許文献１参照）。
【特許文献１】特開平７−７７９５８号公報
【発明の開示】
【発明が解決しようとする課題】
【０００３】
しかしながら、従来の技術では、タッチパネル機能を有する背面液晶を備えたデジタルカメラにおいて、画像が出力モニタと背面液晶に同時出力される仕組みや、プレゼンテーション再生中に背面液晶を操作してダイナミックに画像を選択することにより、画像の拡大表示や表示画像の送り／戻しなどのインタラクティブ操作を行うことができないという課題があった。
【０００４】
本発明はこのような課題に鑑みてなされたものであり、デジタル画像をテレビモニタとカメラの背面液晶などの複数の表示部に同時に表示した状態で、背面液晶のタッチパネル操作により、画像の拡大表示や表示画像の送りまたは戻しなどのインタラクティブ操作が可能な画像表示装置を提供することを目的とする。
【課題を解決するための手段】
【０００５】
前記課題を解決するために、本発明に係る画像表示装置は、画像データを記憶する記憶部と、第１の表示部と、外部に設けられた第２の表示部に表示情報を出力する外部装置接続部と、第１の表示部の画面上でのタッチ操作を含むユーザーによる操作を検出する操作部と、記憶部から画像データを読み出して、当該画像データを第１の表示部及び第２の表示部に同時に表示するとともに、操作部により検出された操作に応じて表示を制御する制御部と、を有する。
【０００６】
このような画像表示装置において、制御部は、操作部によりタッチ操作が検出されたときに、第１の表示部に表示されタッチ操作により選択された画像データを拡大して、第１の表示部及び第２の表示部に同時に表示するように構成されることが好ましい。
【０００７】
また、このような画像表示装置において、制御部は、第１の表示部及び第２の表示部のいずれか一方の表示サイズで画面構成を行い、他方の表示サイズへリサイズするように構成し、第１の表示部及び第２の表示部にそれぞれ表示するように構成されることが好ましい。
【０００８】
また、このような画像表示装置において、記憶部は、少なくとも１以上の画像データを１画面にレイアウトして表示するための画像ユニットを管理する画像ユニットリストを記憶し、制御部は、記憶部から画像ユニットリストを読み出して、画像ユニット毎に、記憶部に記憶された画像データを読み出して第１の表示部及び第２の表示部に表示するように構成されることが好ましい。
【０００９】
このとき、制御部は、操作部により送りまたは戻しの操作を検出したときに、現在表示されている画像ユニットの次の画像ユニット若しくは前の画像ユニットを第１の表示部及び第２の表示部に表示するように構成されることが好ましい。
【００１０】
あるいは、制御部は、画像データを第１の表示部及び第２の表示部に拡大表示している状態で、操作部により送りまたは戻しの操作を検出したときに、画像ユニットリストに設定されている画像データの順序に従って、次の画像データ若しくは前の画像データを第１の表示部及び第２の表示部に表示するように構成されることが好ましい。
【００１１】
さらに、このような画像表示装置は、光学系及び当該光学系で結像された像を検出する撮像素子を備え、当該撮像素子で検出された像を画像データとして記憶部に記憶させる撮像部をさらに有することが好ましい。
【発明の効果】
【００１２】
本発明に係る画像表示装置を以上のように構成すると、デジタル画像を、外部の第２の表示部（テレビモニタ等）及びこの画像表示装置に設けられた第１の表示部（背面液晶等）のような複数の表示部に同時に表示することが可能であり、かつ、第１の表示部に対するタッチパネル操作により、画像データの拡大表示や表示画像の送りまたは戻しなどのインタラクティブ操作が可能となる。
【発明を実施するための最良の形態】
【００１３】
以下、本発明の好ましい実施形態について図面を参照して説明する。まず、図１を用いて本実施の形態に係る画像表示装置である、画像表示部２を備えたデジタルカメラ１の構成について説明する。このデジタルカメラ１は、図１に示すように、撮像部１０、メモリ１１、画像処理部１２、操作部１３、及び、画像表示部２を備えて構成されている。画像表示部２は、タッチパネル機能を有する背面液晶である第１の表示部１４、記憶部１５、外部モニタ１００（第２の表示部）と接続するための外部装置接続部１６の各部を備えるとともに、各部を制御する制御部１７を備えて構成されている。
【００１４】
撮像部１０は、図示はしないが、撮影レンズ、撮像素子、Ａ／Ｄ変換部などを備えており、ユーザーからの指示を受け付ける。操作部１３は、レリーズボタンなどを備えており、この操作部１３の操作状態は、制御部１７により検知される。なお、本実施の形態では、第１の表示部１４上に設けられたタッチパネル機能も操作部１３に含まれるものとする。第１の表示部１４は、液晶モニタ（背面液晶）などの表示装置を備えており、各画像データやメニュー画面などを表示する。記憶部１５は、図示しないメモリカードなどを備えており、撮像部１０で撮影された画像データ及びその属性情報が対応付けられて記憶されるとともに、各種データが記憶される。外部装置接続部１６は、有線または無線によりテレビモニタなどの外部モニタ１００と接続され、画像データをはじめ各種データの授受を行う。
【００１５】
以上説明した構成のデジタルカメラ１に対して、ユーザーが操作部１３を介して撮影を指示すると、制御部１７は、撮像部１０を制御して被写体像を撮像して画像データを生成し、メモリ１１に記録する。そして、制御部１７は、画像処理部１２を制御して、メモリ１１に記録した画像データを第１の表示部１４に表示するとともに画像データ及びその属性情報を対応付けて記憶部１５に記憶する。ここで、記憶部１５に記憶される画像データのデータ構造としては、ＪＥＩＤＡで規格されたＥｘｉｆ（Ｅｘｃｈａｎｇｅａｂｌｅ  ｉｍａｇｅ  ｆｉｌｅ  ｆｏｒｍａｔ）等が知られている。
【００１６】
これらの画像データは、ユーザによる指定やデジタルカメラ１の機能により自動的に、人物、風景等の種別毎や撮影日時毎に画像ユニットにグループ化され、何れの画像ユニットに所属するか対応付けられて記憶部１５に記憶されている。この画像データと所属する画像ユニットとを関連付けるための情報が、記憶部１５の画像ユニットリストに記憶されている。
【００１７】
画像ユニットリストは、図３に示すデータ構造５０を有しており、画像ユニットの管理番号が記憶されるユニット番号領域５１、画像データのファイル名が記憶される画像領域５２、当該画像データを画面に表示するための表示サイズが記憶されるサイズ領域５３、画像の表示方向が記憶される表示方向領域５４、画像データの表示位置が記憶される表示位置領域５５、一つの画像ユニットに複数の画像データが設定されている際に、これらの画像データを表示する順序が記憶される表示順領域５６などから構成されている。本実施の形態においては、サイズ領域５３には、大きく表示する画像データの場合は「大」が、小さく表示する画像データの場合は「小」が記憶される。表示方向領域５４には、縦に表示する場合は「縦」が、横に表示する場合は「横」が記憶される。なお、これらのデータは、文字情報に限定されることはなく、数値や記号などで表し、記憶するよう構成してもよい。
【００１８】
（スライドショーの実行）
それでは、図１に示すデジタルカメラ１を用いて、記録部１５に記録された画像データを、第１の表示部１４と第２の表示部としての外部モニタ１００とに同時にスライドショー表示する際の画像表示部２の動作について、図２に示すフローチャートを参照して説明する。この動作は、例えば、撮像部１０により撮影が行われ、記憶部１５にデジタル画像が登録された後、ユーザが操作部１３のタッチパネルやレリーズボタンなどを操作し、この操作を制御部１７が検知したタイミングで実行される。
【００１９】
なお、このスライドショー開始の指示、後述の表示画像の送り／戻りの指示、拡大開始／終了指示などは、タッチパネルに表示されたメニュー画面のタッチ操作やレリーズボタンの押下など、ユーザが操作部１３を操作することにより行われる。これらのインタラクティブな操作は、制御部１７により常時監視されており、この制御部１７は、検出したインタラクティブ操作の種類、状態などを判断して、指示された動作を実行するように構成されている。このように、本実施の形態にかかるデジタルカメラ１では、スライドショー実行中に、ユーザーによるインタラクティブな操作を受け付けることができ、その操作に応じて以下に示す処理を実行可能に構成されている。
【００２０】
前述のスライドショーの開始指示がされると、図２に示すように、まず、画像準備処理（ステップＳ１０）において、制御部１７は、あらかじめ準備され記憶部１５に記憶されている画像ユニットリストに従って、この画像ユニットリスト内のユニット番号毎に、当該ユニット番号の画像ユニットに設定された画像データの表示の準備を行う。画像ユニットリストとは、前述したように、表示するスライドショーに含まれる画像データや、表示時の画像のサイズ、表示方向、表示位置、表示順などが示されたリストである。制御部１７は、画像ユニット毎に、当該画像ユニットに設定されている画像データを全て記録部１５から読み込み、この画像ユニットリストの情報に従って、各画像データのリサイズ、表示方向に合わせた回転などの処理をおこなって、レイアウト前の画像データの準備を行う。
【００２１】
図３に示すように、画像ユニットリストに設定された１からｎまでのｎ個の画像ユニットをスライドショーとして再生する場合を示す。ここで、画像ユニットとは、スライドショーにおける１スライドに相当し、１つの画像ユニットは、１枚または複数枚の画像データを含むことが可能である。スライドショーとして表示する画像データの準備が終了すると、次のレイアウト処理（ステップＳ２０）に進む。
【００２２】
レイアウト処理（ステップＳ２０）において、制御部１７は、ステップＳ１０で準備された複数の画像データを基に、外部モニタ１００の出力サイズに合わせてレイアウトを行い、表示画像（以下、表示画像をイメージと呼ぶことがある）を生成する。このとき、制御部１７は、画像ユニットリストの表示順領域５６に設定されている表示順序にしたがって、画像データを１枚ずつレイアウトするように構成されている。レイアウトはあらかじめ決められたテンプレートにしたがって行われ、レイアウト内の画像データの表示位置は表示位置領域５５に従って配置される。テンプレートは、２枚表示用、４枚表示用など表示枚数や表示デザイン毎に複数種類が用意されている。ここで、制御部１７は、画像ユニット毎に当該画像ユニットに設定された画像データの枚数に応じて、適宜のテンプレートを選択することができる。なお、画像ユニット毎に使用するテンプレートを画像ユニットリストに記憶するように構成しても良いし、１画面に表示する枚数に応じて制御部１７によりその都度選択してレイアウトするように構成しても良い。レイアウトが完了するとリサイズ処理（ステップＳ３０）に進む。
【００２３】
リサイズ処理（ステップＳ３０）において、制御部１７は、背面液晶で構成される第１の表示部１４と、外部装置接続部１６を介して接続されている外部モニタ１００とに、同時に表示画像を出力するために、ステップＳ２０において、外部モニタ１００の出力サイズにレイアウトされた表示画像（イメージ）を、第１の表示部１４である背面液晶の出力サイズにリサイズする。
【００２４】
次に、表示更新処理（ステップＳ４０）において、制御部１７は、外部モニタ１００用にレイアウトされたイメージと第１の表示部１４である背面液晶の出力サイズにリサイズされたイメージとを、外部装置接続部１６に接続された外部モニタ１００と第１の表示部（背面液晶）１４とに、それぞれ表示する。この場合、前出のテンプレートには、画面デザインだけでなく、画像データとともに表示される背景や装飾または音楽等の演出、表示時間、表示方法なども設定しておいてもよく、制御部１７は、これらの情報にしたがってイメージを表示してもよい。また、これらの情報を記憶部１５に記憶しておいてもよい。
【００２５】
次に、拡大表示操作判定処理（ステップＳ５０）において、制御部１７は、操作部１３から拡大表示する画像をタッチした指示があったか（タッチパネルを有する背面液晶である第１の表示部１４上でタッチ操作が行われたか）を判断し、指示があった場合には、拡大画像準備処理（ステップＳ６０）に進む。タッチされた指示は、タッチパネル上の座標の左上を原点（０，０）とし、タッチされた画像データが表示されている矩形の領域を通知する。また、タッチされた指示は、画像データの座標の情報でなくともよく、タッチされた画像データの識別情報やファイル名などが通知されるものでもよい。タッチパネル上でタッチされる有効領域は、表示されている画像データのサイズの領域と同一である。具体的には、例えば、タッチパネル上でユニット番号「１」の画像データ「0003.jpg」の表示領域がタッチされた場合、当該領域の座標、表示位置またはファイル名「0003.jpg」が通知される。一方、操作部１３から拡大表示する画像をタッチした指示がない場合には、表示画像送り／戻し操作判定処理（ステップＳ１２０）に進む。
【００２６】
拡大画像準備処理（ステップＳ６０）では、拡大画像を表示するために該当する画像データを記憶部１５から読み出して、リサイズ、回転などの処理をおこなって、レイアウト前の画像準備を行う。次に、拡大画像レイアウト処理（ステップＳ７０）において、制御部１７は、ステップＳ６０で準備された拡大表示用の画像データを外部モニタ１００の出力サイズに合わせてレイアウトを行い、イメージを生成する。
【００２７】
そして、拡大画像リサイズ処理（ステップＳ８０）において、制御部１７は、第１の表示部１４である背面液晶と外部装置接続部１６に接続されている外部モニタ１００とに同一の拡大画像を同時出力するために、外部モニタ１００の出力サイズにレイアウトされたイメージを背面液晶の出力サイズにリサイズする。
【００２８】
次に、拡大画像表示更新処理（ステップＳ９０）において、上記ステップＳ７０で外部モニタ１００用にレイアウトされたイメージと、上記ステップＳ８０で第１の表示部１４である背面液晶の出力サイズにリサイズされたイメージと、を外部装置接続部１６に接続された外部モニタ１００と第１の表示（背面液晶）１４とに、それぞれ表示する。具体的には、「0003.jpg」の画像がタッチされた場合、「0003.jpg」の画像が拡大表示される（以下、拡大画像と呼ぶ）。
【００２９】
拡大画像が表示されたら、次に、拡大画像送り／戻し操作判定処理（ステップＳ１００）において、制御部１７は、操作部１３のコントロールボタンで拡大画像送り／戻しの操作がされたかを判定し、操作がされたと判定した場合は、該当の画像データについて前出のステップＳ６０〜ステップＳ９０までの処理を行って、該当の画像データの拡大表示を行う。該当の画像データの拡大表示とは、例えば、現在「0003.jpg」の拡大画像が表示されているときに、「送り」操作があった場合には、ユニット番号１の次レコードの「0004.jpg」の拡大画像が表示される。また、「戻り」操作があった場合には、前レコードの「0002.jpg」の拡大画像が表示される。このとき、ある画像ユニットに設定された最初の画像データ若しくは最後の画像データから、前若しくは後の画像データに移動するときは、前の画像ユニット若しくは次の画像ユニットの画像データの拡大画像が表示されるよう構成してもよい。なお、前後の画像データは、画像ユニットリストのレコード順ではなく、表示位置領域５５や表示順領域５６の値に従って決定するよう構成してもよい。また、操作部１３のコントロールボタンは、第１の表示部１４である背面液晶のタッチパネルに表示されるようにしてもよいし、デジタルカメラ１に別個に設けてもよい。一方、拡大画像送り／戻しの操作がない場合には、拡大再生終了操作判定処理（ステップＳ１１０）に進む。
【００３０】
拡大再生終了操作判定処理（ステップＳ１１０）では、例えば、操作部１３のタッチパネルにおいて、拡大画像がタッチされた場合を拡大再生処理の終了操作とし、この終了操作が行われたか否かを制御部１７が検知する。終了操作が行われた場合は、拡大画像の表示を終了して、表示画像送り／戻し操作判定処理（ステップＳ１２０）へ進み、通常の画像ユニット毎のスライドショーへ戻る。終了操作が行われず、拡大表示が継続している場合は、拡大画像送り／戻し操作判定処理（ステップＳ１００）に戻り、上述の処理を繰り返す。
【００３１】
表示画像送り／戻し操作判定処理（ステップＳ１２０）では、上述のステップＳ１００と同様に、例えば、操作部１３のタッチパネルや外部に設けられた送り／戻しボタンが操作されたか否かを制御部１７が検知する。操作部１３で表示画像送り／戻しの操作があった場合は、この操作を制御部１７が検出し、画像準備処理（ステップＳ１０）へ進み、次もしくは前の画像ユニットの画像データを準備してステップＳ２０以降の処理を順次実行する。表示画像送り／戻しの操作がない場合は、次の画像ユニット内の画像表示完了判定処理（ステップ１３０）に進む。
【００３２】
画像ユニット内の画像表示完了判定処理（ステップＳ１３０）において、当該画像ユニット内の全ての画像データの表示が完了したか判定し、完了した場合には、全画像ユニットの再生完了判定処理（ステップＳ１４０）へ進む。一方、当該画像ユニット内の全ての画像データの表示が完了していない場合には、レイアウト処理（ステップＳ２０）へ進み、当該画像ユニット内の残りの画像データについてレイアウト処理を行い、以降の処理を順次実行する。
【００３３】
全画像ユニットの再生完了判定処理（ステップＳ１４０）において、全ての画像ユニットの画像データについてのスライド再生が完了したか判定し、完了した場合は、スライドショーを終了する。一方、完了していない場合は、画像準備処理（ステップＳ１０）に戻り、全ての画像ユニットの全ての画像データの再生が終了するまで、一連の処理を繰り返す。
【００３４】
なお、本実施の形態では、１つの画像ユニットに複数枚の画像データが含まれる例を示したが、本発明はこれに限定されることはなく、１つの画像ユニットに１枚の画像データのみが含まれる場合にも、本発明を同様に適用することができる。また、以上の実施形態では、本発明に係る画像表示装置として、画像表示部２を備えたデジタルカメラ１を例に説明を行ったが、撮像部１０を有さず、画像表示部２により記憶された画像データのスライドショー表示を行う画像表示装置として構成することも可能である。
【図面の簡単な説明】
【００３５】
【図１】本発明に係るデジタルカメラの構成を示す説明図である。
【図２】上記デジタルカメラを用いてスライドショーを実行する際の画像表示部による処理を示すフローチャートである。
【図３】画像ユニットリストのデータ構造を説明するための説明図である。
【符号の説明】
【００３６】
１  デジタルカメラ（画像表示装置）
１０  撮像部    １３  操作部    １４  第１の表示部    １５  記憶部
１６  外部装置接続部    １７  制御部
１００  外部モニタ（第２の表示部）
【図１】
2010039806.tif 000003
【図２】
2010039806.tif 000004
【図３】
2010039806.tif 000005